(57)【要約】【課題】生活支援を行う生活情報管理システムにおいて、タグの省電力化と行動抽出を個人の特性に合わせて設定することを可能にする。【解決手段】生活者であるユーザは、パーソナルタグ２４ａ，２４ｂを携行し、生活環境内に配置されるデータタグ２５ａ，２５ｂ，２５ｃ，２５ｄと無線による情報通信を行う。サーバ２２は、観察機２３ａ，２３ｂ，２３ｃ，２３ｄを介して情報通信を監視し、収集する情報からユーザに固有なパラメータを抽出する。サーバ２２やパーソナルタグ２４ａ，２４ｂ、データタグ２５ａ，２５ｂ，２５ｃ，２５ｄには、ユーザ専用の通信条件を設定する個別条件式作成部８０を備える。ユーザに合わせた通信条件で、省電力化と漏れのない行動抽出とを図ることができる。【選択図】      図１
2005018166.tif 000002
【特許請求の範囲】
【請求項１】
生活環境内での生活者の行動に関する情報を収集して加工し、生活情報として管理する生活情報管理システムであって、
生活者に携行されて、該生活者の情報を保持する記録保持手段、および外部と無線による情報通信が可能な通信手段を有する携行データタグと、
該生活環境内に存在する参照対象物に配置されて、該参照対象物の情報を保持する記録保持手段、および外部と無線による情報通信が可能な通信手段を有する参照データタグと、
外部と情報通信が可能であり、該携行データタグとは無線による情報通信が可能な通信手段を有する観察機と、
該観察機を介して送受信される該生活者の行動に関する情報を収集して、該生活者の生活情報の処理を行う情報処理手段と、
情報処理手段が収集する情報に基づいて、予め定める生活者固有のパラメータを抽出するパラメータ抽出手段と、
パラメータ抽出手段が抽出する生活者固有のパラメータに基づいて、該生活者が携帯する携行データタグ、および予め定める該生活者の行動に関連して該携行データタグとの間で無線による情報通信を行う参照データタグの通信手段に、無線による情報通信の条件を設定する通信条件設定手段とを含むことを特徴とする生活情報管理システム。
【請求項２】
前記情報処理手段、および前記パラメータ抽出手段は、前記観察機と情報通信ネットワークを介して接続されるサーバ装置に含まれることを特徴とする請求項１記載の生活情報管理システム。
【請求項３】
前記携行データタグおよび前記参照データタグの通信手段は、前記無線による情報通信として赤外線通信を行うことを特徴とする請求項２記載の生活情報管理システム。
【請求項４】
生活者に、該生活者の情報を保持し、外部と無線による情報通信が可能なデータタグを携行させ、
生活環境内に存在する参照対象物に、該参照対象物の情報を保持し、外部と無線による情報通信が可能なデータタグを配置しておき、
該生活環境内に、外部と情報通信が可能であり、特に該生活者が携行するデータタグとの無線による情報通信が可能な観察機を設置し、
該観察機を介して送受信される該生活者の行動に関する情報を収集して、該生活者の生活情報の管理を行う生活情報管理方法において、
該生活者の行動に関して収集する情報に基づいて、予め定める生活者固有のパラメータを抽出するパラメータ抽出ステップと、
パラメータ抽出ステップで抽出する生活者固有のパラメータに基づいて、該生活者が携帯するデータタグ、および予め定める該生活者の行動に関連する参照対象物に取付けられるデータタグの間の無線による情報通信の条件を設定する通信条件設定ステップとを含むことを特徴とする生活情報管理方法。
【請求項５】
前記パラメータ抽出ステップでは、前記生活者の動きに関する情報から前記生活者固有のパラメータを抽出することを特徴とする請求項４記載の生活情報管理方法。
【請求項６】
前記生活者の動きに関する情報は、該生活者が携行するデータタグと、該生活者の歩行速度に関連する参照対象物に配置されるデータタグとの間の通信時間を用いることを特徴とする請求項５記載の生活情報管理方法。
【請求項７】
予め設定される情報を保持する記録保持手段と、
外部との無線による情報通信を、記録保持手段に保持される情報を含めて、かつ外部から設定される通信条件に従って行うことが可能な通信手段と、
電源とを含むことを特徴とするデータタグ装置。
【発明の詳細な説明】
【０００１】
【発明の属する技術分野】
本発明は、生活環境内における生活者の行動に関する情報を収集し、生活情報として管理する生活情報管理システムおよび方法ならびにデータタグ装置に関する。
【０００２】
【従来の技術】
従来から、人間の生活は、多数の物品に囲まれた状態で行われているけれども、人間の活動は、それらの物品のうちの特定のものと関連していることが多い。生活情報とは、たとえば物品のうちの特定のものを参照対象物として、その保管場所や動作状況、人間の居場所や人間の行動に関する情報である。生活管理情報を適切に管理すれば、人間の行動などに関する情報を収集することも容易となる。
【０００３】
人間の行動に関する情報の収集に関して、ＣＣＤカメラや赤外線センサなどを多数、生活環境内に配置しておく行動判定装置が開示されている（たとえば、特許文献１参照）。この行動判定装置は、各種センサなどを利用して対象者の行動を検出し、さらにテレビの電源のＯＮ／ＯＦＦ動作や冷蔵庫の扉の開閉動作などの機器の動作を検出し、これら２種類の検出結果と、事前に記録している対象者の行動と前記機器の動作との組み合わせパターンとを比較して、対象者の行動判定を行う。
【０００４】
特許文献１の行動判定装置によると、パターンが一致しない場合には、警告を出力する。しかし、そのような行動判定システムでは、固定された数種類のセンサからのユーザの行動データを取得するため、ユーザデータ取得手段が一様でなく、汎用性に欠ける。また設置の観点から見てもコストや手間がかかる。
【０００５】
また、人間の動作や姿勢、行動状態などを検知するために、個人情報端末を個人が携帯し、送信するデータ量が膨大にならないように、変化がある情報のみを無線通信を介して基地局に送信する個人特性情報収集システムなども提案されている（たとえば、特許文献２参照）。
【０００６】
以上のような問題に鑑みて、本件出願人は、生活環境内に配置されて生活者の行動に関連する物品を管理対象物とし、管理対象物と生活者とに関連する情報を収集して加工し、生活情報として管理する生活情報管理システムに、無線で情報通信を行うデータタグを利用することを、特願２００２−０３２７２７号として提案している。データタグを利用することによって、管理対象物に対する汎用性が大きく、効率的に管理対象物を検出することが可能となり、人間の生活環境における活動を管理することができる。
【０００７】
図１０は、特願２００２−０３２７２７号に記載している生活情報管理システムの基本構成を示す。図１０（ａ）は生活環境の一例を示し、図１０（ｂ）は図１０（ａ）の生活環境を部屋１の一つとして含む住居２の部屋配置を示す。本システムは生活情報管理を行う対象者であるユーザ３が生活者として住む住居２に設置される。ユーザ３はパーソナルタグ４と呼ばれる生活者の行動を取得する装置を所持して携行し、ユーザ３の行動の対象となる物や場所に参照対象を示すデータタグ５，６と呼ばれる装置を備え付ける。さらに、ユーザ３の行動履歴を保存し、データ処理を行うサーバ７を設置する。部屋１内にはパーソナルタグ４と通信を行うための観察機８，９，１０と呼ばれる通信装置を設置し、サーバ７はパーソナルタグ４と観察機８，９，１０を介して通信を行い、行動履歴データを蓄積したり、パーソナルタグ４に指示を与えたりする。観察機８，９，１０は各部屋に設置されるもので、図１０は一つの部屋１を例として示したものである。さらに情報端末１１を通してユーザ３に情報を提供したり、ユーザ３からの情報を受け付けたりする。
【０００８】
【特許文献１】
特開２００１−０３４８６９号公報
【特許文献２】
特開２００２−１３３５５５号公報
【０００９】
【発明が解決しようとする課題】
図１０に示すような生活情報管理システムの課題は、パーソナルタグ４やデータタグ５，６などのタグの省電力化と精度の高い行動抽出の二つである。
【００１０】
まずタグの省電力化について説明する。生活者の日常の行動記録を行う生活情報管理システムは、常に稼動する必要がある。このため本システムに使用するタグには、電池を要しないＲＦＩＤ（Ｒａｄｉｏ  Ｆｒｅｑｕｅｎｃｙ  ＩＤｅｎｔｉｆｉｃａｔｉｏｎ）方式の非接触ＩＣカードによるタグを用いることが考えられるが、現在の法的に認められているＲＦＩＤの能力では、生活記録を行うような長距離の通信は不可能である。通信距離を長距離にするためにはアンテナを大きくしたり法的規制に関する問題を解決したりする必要があり現実的ではない。
【００１１】
電池などの電源を備えるタグの省電力化方法として、通信間隔を適切に設定することが考えられる。つまりパーソナルタグ４やデータタグ５，６の通信回数を、ユーザ３の行動記録を行う上で情報を損わない程度に減らしていくというものである。これは通信による電力消費量の割合がタグ全体の電力消費量に対して大きいためである。しかし、通信間隔を空けすぎると情報の信頼性が落ちるので、ユーザ３の移動速度に合わせて通信の設定を行う必要があり、実用には手間が必要である。また、一度設定をしても、ユーザ３の体調によって動作速度が変化する場合、その度に設定するのは非常に手間がかかり現実的ではない。
【００１２】
また精度の高い行動抽出とは、蓄積されたタグ通信の記録からユーザ３の行動を誤検出や過検出することなく抽出することである。この抽出を行う際の条件とは、タグの組み合わせとそのタグ履歴が記録されている時間的な範囲である。たとえば、「薬の服用」という行動を抽出する場合には、薬箱のデータタグと蛇口のデータタグの二つのデータタグに注目し、それぞれのデータタグの通信履歴がたとえば１０分以内に入っているなら、「薬の服用」をしたとして認識する。この条件のうち時間的な範囲は、ユーザ３の個人の特性（移動速度）によって決定されるべきものである。しかし、ユーザ３毎にこの設定を行うことは、やはり手間のかかる作業である。
【００１３】
以上のような問題を鑑みて、本発明の目的は、省電力化を図り、生活者個人の特性に合わせることが容易な生活情報管理システムおよび方法ならびにデータタグ装置を提供することである。
【００１４】
【課題を解決するための手段】
本発明は、生活環境内での生活者の行動に関する情報を収集して加工し、生活情報として管理する生活情報管理システムであって、
生活者に携行されて、該生活者の情報を保持する記録保持手段、および外部と無線による情報通信が可能な通信手段を有する携行データタグと、
該生活環境内に存在する参照対象物に配置されて、該参照対象物の情報を保持する記録保持手段、および外部と無線による情報通信が可能な通信手段を有する参照データタグと、
外部と情報通信が可能であり、該携行データタグとは無線による情報通信が可能な通信手段を有する観察機と、
該観察機を介して送受信される該生活者の行動に関する情報を収集して、該生活者の生活情報の処理を行う情報処理手段と、
情報処理手段が収集する情報に基づいて、予め定める生活者固有のパラメータを抽出するパラメータ抽出手段と、
パラメータ抽出手段が抽出する生活者固有のパラメータに基づいて、該生活者が携帯する携行データタグ、および予め定める該生活者の行動に関連して該携行データタグとの間で無線による情報通信を行う参照データタグの通信手段に、無線による情報通信の条件を設定する通信条件設定手段とを含むことを特徴とする生活情報管理システムである。
【００１５】
本発明に従えば、生活情報管理システムは、生活環境内での生活者の行動に関する情報を収集して加工し、生活情報として管理するために、携行データタグと、参照データタグと、観察機と、情報処理手段と、パラメータ抽出手段と、通信条件設定手段とを含む。携行データタグは、生活者に携行されて、生活者の情報を保持する記録保持手段、および外部と無線による情報通信が可能な通信手段を有する。参照データタグは、生活環境内に存在する参照対象物に配置されて、参照対象物の情報を保持する記録保持手段、および外部と無線による情報通信が可能な通信手段を有する。観察機は、携行データタグや参照データタグなどの外部と情報通信が可能であり、携行データタグとの情報通信は無線で可能な通信手段を有する。情報処理手段は観察機を介して送受信される生活者の行動に関する情報を収集して、生活者の生活情報の処理を行う。パラメータ抽出手段が情報処理手段が収集する情報に基づいて、予め定める生活者固有のパラメータを抽出すると、通信条件設定手段は、生活者が携帯する携行データタグ、および予め定める生活者の行動に関連して携行データタグとの間で無線による情報通信を行う参照データタグの通信手段に、生活固有パラメータに基づいて、無線による情報通信の条件を設定する。
【００１６】
パラメータ抽出手段によって得られる生活者固有のパラメータを用いて、携行データタグと参照データタグとの間の無線による通信条件を設定するので、生活者に適合した通信条件で、たとえば情報の漏れを生じない程度の通信回数の設定が可能となり、通信に要する電力消費を低減し、省電力化を図ることができる。また生活者固有のパラメータを生活者毎に抽出して通信条件を設定することによって、生活者個人の特性に合わせて生活者の行動を精度良く把握して管理することができる。
【００１７】
また本発明で、前記情報処理手段、および前記パラメータ抽出手段は、前記観察機と情報通信ネットワークを介して接続されるサーバ装置に含まれることを特徴とする。
【００１８】
本発明に従えば、サーバ装置が生活者の活動を、生活者固有の特性に適合する効率的な情報収集によって適格に把握し、集中的に管理することができる。
【００１９】
また本発明で、前記携行データタグおよび前記参照データタグの通信手段は、前記無線による情報通信として赤外線通信を行うことを特徴とする。
【００２０】
本発明に従えば、無線による情報通信を赤外線を使用して行うことによって、消費電力に対して通信可能な距離を大きくすることができる。
【００２１】
さらに本発明は、生活者に、該生活者の情報を保持し、外部と無線による情報通信が可能なデータタグを携行させ、
生活環境内に存在する参照対象物に、該参照対象物の情報を保持し、外部と無線による情報通信が可能なデータタグを配置しておき、
該生活環境内に、外部と情報通信が可能であり、特に該生活者が携行するデータタグとの無線による情報通信が可能な観察機を設置し、
該観察機を介して送受信される該生活者の行動に関する情報を収集して、該生活者の生活情報の管理を行う生活情報管理方法において、
該生活者の行動に関して収集する情報に基づいて、予め定める生活者固有のパラメータを抽出するパラメータ抽出ステップと、
パラメータ抽出ステップで抽出する生活者固有のパラメータに基づいて、該生活者が携行するデータタグ、および予め定める該生活者の行動に関連する参照対象物に取付けられるデータタグの間の無線による情報通信の条件を設定する通信条件設定ステップとを含むことを特徴とする生活情報管理方法である。
【００２２】
本発明に従えば、生活環境内での生活者の行動に関する情報を収集して加工し、生活情報として管理するために、生活者はデータタグを携行する。生活者が携行するデータタグは、生活者の情報を保持し、外部と無線による情報通信が可能である。生活環境内に存在する参照対象物には、参照対象物の情報を保持し、外部と無線による情報通信が可能なデータタグを配置しておく。生活環境内には、外部と情報通信が可能であり、生活者が携行するデータタグとの情報通信は無線で可能な観察機を設置する。観察機を介して送受信される生活者の行動に関する情報を収集して、生活者の生活情報の管理を行う。生活情報の管理を行う際には、パラメータ抽出ステップと通信条件設定ステップとを含める。パラメータ抽出ステップでは、生活者の行動に関して収集する情報に基づいて、予め定める生活者固有のパラメータを抽出する。通信条件設定ステップでは、生活者が携行するデータタグ、および予め定める生活者の行動に関連して携行データタグとの間で無線による情報通信を行うデータタグに、生活者固有パラメータに基づいて、無線による情報通信の条件を設定する。生活者固有のパラメータを用いて、無線による通信条件を設定するので、生活者に適合した通信条件となり、省電力化を図ることができる。また生活者固有のパラメータを生活者毎に抽出して通信条件を設定することによって、生活者個人の特性に合わせて生活者の行動を精度良く把握して管理することができる。
【００２３】
また本発明で、前記パラメータ抽出ステップでは、前記生活者の動きに関する情報から前記生活者固有のパラメータを抽出することを特徴とする。
【００２４】
本発明に従えば、生活者が日常の活動を行う際には、個人の能力や状態が動きに反映される。したがって、生活者の動きに関する情報から、生活者の能力や状態に基づいて生活者固有のパラメータを抽出し、各生活者の行動の特性に合わせて情報の収集を行い、電力消費の削減を図ることができる。生活者固有のパラメータに基づいて通信条件の設定も行うことができるので、生活者に適合した条件で、効率的に情報の通信を行うことができる。
【００２５】
また本発明で、前記生活者の動きに関する情報は、該生活者が携行するデータタグと、該生活者の歩行速度に関連する参照対象物に配置されるデータタグとの間の通信時間を用いることを特徴とする。
【００２６】
本発明に従えば、生活者が参照対象物の近傍を歩行すると、生活者が携行するデータタグと参照対象物に配置されるデータタグとの間で無線による情報通信が行われる。この情報通信に要する時間は、生活者の歩行速度に関連するので、通信時間から歩行速度を求めることができ、生活者の行動パターンの特定に利用することができる。
【００２７】
さらに本発明は、予め設定される情報を保持する記録保持手段と、
外部との無線による情報通信を、記録保持手段に保持される情報を含めて、かつ外部から設定される通信条件に従って行うことが可能な通信手段と、
電源とを含むことを特徴とするデータタグ装置である。
【００２８】
本発明に従えば、記録保持手段に、予め設定される情報、たとえばデータタグ装置を携行する生活者の識別情報や、データタグ装置を備付ける物品や場所の識別情報などを保持させることができる。通信手段は、外部との無線による情報通信を、記録保持手段に保持される情報を含めて行うことが可能であるので、たとえば通信に関与しているデータタグ装置が生活者に携行されるものであるか、物品や場所に備付けられるものであるかを識別情報によって判別し、無線による情報通信を監視すれば、生活者と物品や場所の関連で、生活者の行動に関する情報を収集することができる。データタグが無線による情報通信を行う通信条件は、外部から設定可能であるので、たとえば生活者に固有な行動に合わせて、情報通信の効率化を図り、電源からの供給電力を削減して、省電力化を図ることができる。
【００２９】
【発明の実施形態】
以下に、図１〜図９の図面を参照して、本発明の実施の一形態としての生活情報管理システムを説明する。各図で対応する部分には同一の参照符を付し、重複する説明は省略する。
【００３０】
図１は、生活情報管理システム２０の基本構成を示す。図１（ａ）は生活情報管理システム２０の全体的な構成を示し、図１（ｂ）はパーソナルタグやデータタグとして使用するタグ装置の構成を示す。生活情報管理システム２０は、１または複数台の情報端末２１ａ，２１ｂ、サーバ２２、複数台の観察機２３ａ，２３ｂ，２３ｃ，２３ｄ、１または複数台のパーソナルタグ２４ａ，２４ｂ、複数台のデータタグ２５ａ，２５ｂ，２５ｃ，２５ｄにより構成される。なお、観察機２３ａ，２３ｂ、パーソナルタグ２４ａ，２４ｂ、データタグ２５ａ，２５ｂ，２５ｃ，２５ｄの台数は定められたものではない。ただし、パーソナルタグ２４ａ，２４ｂは、管理対象となる生活者の人数分が必要である。また、情報通信を赤外線で行う場合は、生活者に複数のパーソナルタグ２４ａ，２４ｂを携行させ、指向性を利用して、生活者の姿勢についても情報も得ることができる。
【００３１】
サーバ２２と情報端末２１ａ，２２ｂとの間、およびサーバ２２と観察機２３ａ，２３ｂ，２３ｃ，２３ｄとの間は、有線式または無線式のＬＡＮ（Ｌｏｃａｌ  Ａｒｅａ  Ｎｅｔｗｏｒｋ）２６，２７を形成している。観察機２３ａ，２３ｂ，２３ｃ，２３ｄとパーソナルタグ２４ａ，２４ｂとの間、およびパーソナルタグ２４ａ，２４ｂとデータタグ２６ａ，２６ｂ，２６ｃ，２６ｄとの間は、赤外線や無線電波などによる無線通信路２８，２９を介して、無線で情報通信を行う。
【００３２】
図１（ｂ）は、パーソナルタグ２４ａ，２４ｂやデータタグ２５ａ，２５ｂ，２５ｃ，２５ｄとして使用可能なタグ装置３０の概略的な電気的構成を示す。タグ装置３０は、全体の制御や情報処理を行うＣＰＵ３１、無線通信路２８，２９を介する情報通信を行う通信手段３２、メモリ３３および電源３４が含まれる。通信手段３２は、たとえば赤外線通信装置であり、赤外線の発光で情報を送信し、赤外線の受光で情報を受信する。メモリ３３は、プログラム３５、識別情報３６および通信条件３７などの情報を記録して保持する記録保持手段として機能する。プログラム３５は、タグ装置３０がパーソナルタグ２４ａ，２４ｂやデータタグ２５ａ，２５ｂ，２５ｃ，２５ｄとして通信手段３２を介して情報通信を行うようにＣＰＵ３１が制御するためのプログラムを含む。なお、パーソナルタグ２４ａ，２４ｂやデータタグ２５ａ，２５ｂ，２５ｃ，２５ｄは、全部に同一のタグ装置３０を使用しなくてもよいことはもちろんである。ただし、パーソナルタグ２４ａ，２４ｂとデータタグ２５ａ，２５ｂ，２５ｃ，２５ｄや観察機２３ａ，２３ｂ，２３ｃ，２３ｄとの間は、無線による情報通信が可能であることは必要である。
【００３３】
図２は、図１（ａ）に示す生活情報管理システム２０で、パーソナルタグ２４ａ，２４ｂおよびデータタグ２５ａ，２５ｂ，２５ｃ，２５ｄを除く構成要素の概略的な内部構成を示す。図２（ａ）に示すように、情報端末２１ａ，２１ｂは、ＣＰＵ４、図１（ａ）に示すＬＡＮ２６に接続するためのインタフェースとなるＬＡＮ＿ＩＦ４２、メモリ４３およびモニタ４４を含む。図２（ｂ）に示すように、サーバ２２は、ＣＰＵ５１、ＬＡＮ＿ＩＦ５２およびメモリ５３を含む。ＬＡＮ＿ＩＦ５２は、図１（ａ）のＬＡＮ２６，２７に接続するためのインタフェースとなる。メモリ５３には、ＬＡＮ２６，２７を介して情報端末２１ａ，２１ｂや観察機２３ａ，２３ｂ，２３ｃ，２３ｄを制御したり、情報通信を行うためのプログラムが格納され、さらにパラメータ抽出プログラム、個別条件式作成プログラム、パラメータ情報および個別条件式情報などが記録され、保存される。図２（ｃ）に示すように、観察機２３ａ，２３ｂ，２３ｃ，２３ｄは、ＣＰＵ６１、ＬＡＮ＿ＩＦ６２、メモリ６３および赤外線通信装置６４を含む。赤外線通信装置６４は、図１（ａ）の無線通信路２８を介して、図１（ｂ）に示す通信手段３２と情報通信が可能である。
【００３４】
情報端末２１ａ，２１ｂは、ＬＡＮ＿ＩＦ４２からＬＡＮ２６およびＬＡＮ＿ＩＦ５２を介してサーバ２２に接続され、ユーザからの入力を受け付けたり、モニタ４４に画像等を表示してユーザに情報を提示するために用いる。サーバ２２は、情報端末２１ａ，２１ｂと観察機２３ａ，２３ｂ，２３ｃ，２３ｄとＬＡＮ２６，２７を介して情報通信を行い、ユーザの生活に関するデータの記録や処理を行うものである。サーバ２２が有しているメモリ５３上には、前述のように、複数のユーザの行動履歴やその情報を管理するプログラム、およびパラメータ抽出プログラムと個別条件式作成プログラムが記録されており、さらに複数のユーザそれぞれに対応するパラメータ情報と個別条件式情報とが記録されている。
【００３５】
なお、本発明の実施の他の形態としては、サーバ２２のメモリ５３上にパラメータ抽出プログラム、個別条件式作成プログラム、および各ユーザのパラメータ情報と個別条件式情報とを記録するようにしているけれども、パーソナルタグ２４ａ，２４ｂのメモリ３３に個人毎にプログラムおよび情報を記録するようにしてもよい。
【００３６】
次に、本実施の形態による生活情報管理システム２０の具体的な設置場所を説明する。情報端末２１ａ，２１ｂは、リビングルームなどユーザが目に付きやすくユーザからの入力も行いやすい場所に設置することが好ましい。サーバ２１は、床下や天井などどこに設置してもよい。たとえば観察機２３ａ，２３ｂ，２３ｃ，２３ｄは、各部屋の天井などに取付けられる。平面断面が矩形であれば、部屋の４隅などに、観察機２３ａ，２３ｂ，２３ｃ，２３ｄが取付けられる。パーソナルタグ２４ａ，２４ｂは、ユーザとなる高齢者などが所持する。データタグ２５ａ，２５ｂ，２５ｃ，２５ｄは物忘れしやすい財布、薬袋、眼鏡ケースなどの管理対象物や、さらにドア、階段、段差などの行動記録を行う必要のあるものや場所を示すものなどに付けておく。これらの管理対象物や場所などは、ユーザの生活行動を把握するための参照対象物として利用する。
【００３７】
図３は、サーバ２２がメモリ５３に記録されるパラメータ抽出プログラムに従って、パラメータ抽出部７０として機能するときの作用および構成を示す。パラメータ抽出部７０は、ある一つの行動に基づくタグ履歴についてリファレンスデータ７１とユーザデータ７２の比較を行う。リファレンスデータ７１は予め記録された、一つの行動による理想タグ履歴データである。また、ユーザデータ７２はリファレンスデータ７１で想定する行動とユーザが同じ行動を行った場合のユーザについてのタグ履歴データである。パラメータ抽出部７０によって、リファレンスデータ７１を基準にした比較によるパラメータ作成７３の作用で、ユーザ固有のパラメータである個別パラメータ７４が得られる。
【００３８】
図４は、サーバ２２がメモリ５３に記録される個別条件式作成プログラムに従って、個別条件式作成部８０として機能するときの作用および構成を示す。個別条件式作成部８０は、パラメータ抽出部７０によって得られる個別パラメータ７４を用いて、基準となる入力フィルタ８１に対し、パラメータによる調整８２を行い、ユーザに適正化された個別入力フィルタ８３に変換する。また、同じように個別パラメータ７４を用いて基準となる行動抽出条件８４を個別行動抽出条件８５に変換する。基準となる入力フィルタ８１、および基準となる行動抽出条件８４とは、予め設定される理想入力フィルタおよび行動抽出条件のことであり、個別条件式作成部８０は個別パラメータ７４を用いて個人に適応した個別入力フィルタ８３および個別行動抽出条件８５をそれぞれ作成する。
【００３９】
図５は、以上で説明した機能内容を、さらに具体的にした例を示す。まず、前述のある一つの行動を「廊下の通過」とし、使用するデータタグは通路の壁に取り付けられた廊下タグとする。この場合、通路タグは、リファレンスデータ７１を含む情報を、ユーザが携行するパーソナルタグに対して送信する。パーソナルタグは、ユーザデータ７２を含む情報を通路タグに対して送信する。ユーザ固有のパラメータは、リファレンスデータ７１の通信間隔Ｔｒｅｆ、ユーザデータ７２の通信間隔Ｔｕｓｅｒ  によって得られるＰ  ＝  Ｔｕｓｅｒ  ／  Ｔｒｅｆである。
【００４０】
図６は、入力フィルタについて示す。入力フィルタとはタグの通信間隔設定とし、基準となる入力フィルタ８１の通信間隔Ｔｃｏｍｒｅｆ  に対し、個別の入力フィルタ８３はＰ  を用いてＴｃｏｍｕｓｅｒ  ＝  Ｐ  ＊  Ｔｃｏｍｒｅｆで得られる。
【００４１】
図７は、行動抽出条件について示す。基準となる行動抽出条件８４とは、複数のタグとそのタグの履歴間隔で定義される行動抽出条件のうちの通信間隔であり、ここでは「食事」行動抽出のために、冷蔵庫タグ、電子レンジタグ、蛇口タグの通信履歴間隔Ｔｅａｔｒｅｆ  で設定する。個別の行動抽出条件８５はＴｅａｔｒｅｆ  を用いて  Ｔｅａｔｕｓｅｒ  ＝  Ｐ  ＊  Ｔｅａｔｒｅｆ  で得られる。
【００４２】
図８は、以上の説明を前提としての具体的な設定手順を示す。ステップｓ０から手順を開始し、ステップｓ１からは、個別パラメータ抽出部７０の機能フローとなる。廊下に設置された廊下タグについて、サーバ２２には予め廊下タグの理想通信履歴が記録されている。ステップｓ１で、たとえばＩＤ番号１をユーザデータ７２としているパーソナルタグ（以下、Ｐタグ［１］で示す。）を所持した第１のユーザが廊下を通過する際、その通信履歴データはサーバ２２上に記録される。ステップｓ２で、サーバ２２は、個別パラメータ抽出プログラムによって、理想通信履歴によるタグ通信時間Ｔｒｅｆと第１のユーザのタグ通信時間Ｔｕｓｅｒ  とを用いて、第１のユーザの個別パラメータ７４であるＰ［１］を算出する。ステップｓ２で算出された個別パラメータ７４は、サーバ２２に記録するとともに、ステップｓ３でＰタグ［１］にも無線通信を用いて伝達され、メモリ３３に記録される。次に、ステップｓ４で、各データタグへの設定を行う。Ｐタグ［１］とデータタグが通信を行う際、Ｐタグ［１］に設定された個別パラメータ７４であるＰ［１］をデータタグに送信する。
【００４３】
ステップｓ５で、データタグは個別条件式作成部８０として機能し、予め記録された通信間隔設定Ｔｃｏｍｒｅｆ  とＰ［１］とを用いて、Ｐタグ［１］との通信間隔設定Ｔｃｏｍｕｓｅｒ１を作成し、Ｐタグ［１］との通信では間隔Ｔｃｏｍｕｓｅｒ１を用いて通信を行う。この方法により、たとえば廊下通過を５パルスで記録するようにリファレンスデータ７１を設定してある場合、どのようなユーザの動作に対してもパラメータＰを設定することにより同様の記録量で記録することができる。ステップｓ６で手順を終了する。なお、前述のようにサーバ２２を個別条件式作成部８０として機能させ、通信間隔設定Ｔｃｏｍｕｓｅｒ１を作成してＰタグ［１］やデータタグに伝達させることもできる。
【００４４】
また、本システムに対しユーザもしくは関係者より、情報端末２１ａ，２１ｂなどを介してユーザの行動履歴を抽出するように要求されるとき、サーバ２２は、行動抽出条件８４に基づいてタグの履歴よりユーザの行動履歴を抽出する。以下、たとえば第１ユーザの「食事」行動の抽出を例に説明を行う。「食事」行動を抽出するための条件として、サーバ２２には「冷蔵庫タグ、電子レンジタグ、蛇口タグ」とそのタグ通信履歴間隔Ｔｅａｔｒｅｆが設定されている。サーバは抽出要求があった際、抽出する対象の第１ユーザの個別パラメータＰ［１］と通信履歴間隔Ｔｅａｔｒｅｆを用いてユーザの個別行動抽出条件Ｔｅａｔｕｓｅｒ［１］を作成する。第１ユーザ１の「食事」抽出時には、「食事」抽出に設定されたタグと共に通信履歴間隔Ｔｅａｔｕｓｅｒ［１］を用いて、全てのタグの履歴から抽出処理を行う。
【００４５】
図９は、あるユーザ９０がタグ装置３０を携行して周囲のデータタグとの間で情報通信を行っているタグ履歴時に、各タグ間通信が通信履歴間隔Ｔｅａｔｕｓｅｒ［１］の間隔内であれば、「食事」として行動を抽出する考え方を示す。抽出結果は情報端末２１ａ，２１ｂに表示を行ったり、サーバ２２より遠隔にデータを送信したりして報告を行う。この方法によって、ユーザ９０の動作と相関をもって行動抽出のタグ通信履歴間隔を設定することが可能であるので、ユーザ９０に合わせた行動抽出の設定が可能となり、行動抽出の精度が向上する。
【００４６】
以上で説明しているように、パラメータ抽出部７０によって得られるユーザ固有のパラメータを用いて、個別条件作成部８０が個別入力フィルタ８３および個別行動抽出条件８５を作成するため、個別入力フィルタ８３によって情報の漏れを生じない程度の通信回数の設定が可能となり、また個別行動抽出条件８５によって、ユーザ９０毎に抽出する行動の条件を設定することができる。
【００４７】
【発明の効果】
以上のように本発明によれば、生活情報管理システムは、生活環境内での生活者の行動に関する情報を収集して加工し、生活情報として管理するために、パラメータ抽出手段が情報処理手段が収集する情報に基づいて、予め定める生活者固有のパラメータを抽出すると、通信条件設定手段は、生活者が携帯する携行データタグ、および予め定める生活者の行動に関連して携行データタグとの間で無線による情報通信を行う参照データタグの通信手段に、生活固有パラメータに基づいて、無線による情報通信の条件を設定する。生活者に適合した通信条件で、たとえば情報の漏れを生じない程度の通信回数の設定が可能となり、通信に要する電力消費を低減し、省電力化を図ることができる。また生活者固有のパラメータを生活者毎に抽出して通信条件を設定することによって、生活者個人の特性に合わせて生活者の行動を精度良く把握して管理することができる。
【００４８】
すなわち、生活者の行動取得から得た生活者固有のパラメータを用いて、生活者に合わせて情報漏れのない低消費電力化のための入力フィルタを作成することが可能である。さらに通信条件を設定して行動抽出を行う際にも生活者固有のパラメータで調整するので、行動の誤検出や過検出がない最適な行動抽出を行うことができる。
【００４９】
また本発明によれば、サーバ装置で生活者固有の特性に適合する効率的な情報収集によって生活情報を適格に把握して管理することができる。
【００５０】
また本発明によれば、赤外線を使用する情報通信で、消費電力の低減と通信可能距離の増大とを図ることができる。
【００５１】
さらに本発明によれば、生活環境内での生活者の行動に関する情報を収集して加工し、生活情報として管理するために、生活者はデータタグを携行し、生活環境内に存在する参照対象物にもデータタグを配置しておく。生活環境内には、観察機を設置し、観察機を介して送受信される生活者の行動に関する情報を収集して、生活者の生活情報の管理を行う際に、生活者の行動に関して収集する情報に基づいて、予め定める生活者固有のパラメータを抽出する。通信条件設定ステップでは、生活者が携行するデータタグ、および予め定める生活者の行動に関連して携行データタグとの間で無線による情報通信を行うデータタグに、生活者固有パラメータに基づいて、無線による情報通信の条件を設定する。生活者に適合した通信条件となり、省電力化を図ることができ、生活者固有のパラメータを生活者毎に抽出して通信条件を設定することによって、生活者個人の特性に合わせて生活者の行動を精度良く把握して管理することができる。
【００５２】
また本発明によれば、生活者が日常の活動を行う動きに関する情報から、生活者の能力や状態に基づいて生活者固有のパラメータを抽出し、行動の特性に合わせて情報の収集を行い、電力消費の削減を図ることができる。
【００５３】
また本発明によれば、生活者が参照対象物の近傍を歩行するときに、生活者が携行するデータタグと参照対象物に配置されるデータタグとの間で無線による情報通信が行われ、この情報通信に要する時間から歩行速度を求めることができ、生活者の行動パターンの特定に利用することができる。
【００５４】
さらに本発明によれば、予め設定される情報、たとえばデータタグ装置を携行する生活者の識別情報や、データタグ装置を備付ける物品や場所の識別情報などを含めて外部と無線による情報通信を行うことが可能である。データタグが無線による情報通信を行う通信条件は、外部から設定可能であるので、たとえば生活者に固有な行動に合わせて、情報通信の効率化を図り、電源からの供給電力を削減して、省電力化を図ることができる。
【図面の簡単な説明】
【図１】本発明の実施の一形態である生活情報管理システム２０およびタグ装置３０の概略的な構成を示すブロック図である。
【図２】図１の情報端末２１ａ，２１ｂ、サーバ２２および観察機２３ａ，２３ｂ，２３ｃ，２３ｄの概略的な電気的構成をそれぞれ示すブロック図である。
【図３】図１の生活情報管理システム２０に設けられるパラメータ抽出部７０の構成を示すブロック図である。
【図４】図１の生活情報管理システム２０に設けられる個別条件式作成部８０の構成を示すブロック図である。
【図５】図３のパラメータ抽出部７０で個別パラメータ７４を抽出するためのデータの具体例を示すタイムチャートである。
【図６】図４の個別条件式作成部８０で個別入力フィルタ８３を作成するためのデータの具体例を示すタイムチャートである。
【図７】図４の個別条件式作成部８０で個別行動抽出条件８５を作成するためのデータの具体例を示すタイムチャートである。
【図８】図１の生活情報管理システム２０の概略的な管理手順を示すフローチャートである。
【図９】図１の生活情報管理システム２０で、通信履歴に基づいて通信条件を設定する考え方を示すタイムチャートである。
【図１０】先願の生活情報管理システムの概略的な基本構成を示す簡略化した斜視図および住居の間取図である。
【符号の説明】
２０  生活情報管理システム
２１ａ，２１ｂ  情報端末
２２  サーバ
２３ａ，２３ｂ，２３ｃ，２３ｄ  観察機
２４ａ，２４ｂ  パーソナルタグ
２５ａ，２５ｂ，２５ｃ，２５ｄ  データタグ
２８，２９  無線通信路
３０  タグ装置
３１，４１，５１，６１  ＣＰＵ
３２  通信手段
３３，４３，５３，６３  メモリ
３４  電源
６４  赤外線通信装置
７０  パラメータ抽出部
７１  リファレンスデータ
７２  ユーザデータ
７４  個別パラメータ
８０  個別条件式作成部
８１  入力フィルタ
８２  行動抽出条件
８３  個別入力フィルタ
８５  個別行動抽出条件
９０  ユーザ
【図１】
2005018166.tif 000003
【図２】
2005018166.tif 000004
【図３】
2005018166.tif 000005
【図４】
2005018166.tif 000006
【図５】
2005018166.tif 000007
【図６】
2005018166.tif 000008
【図７】
2005018166.tif 000009
【図８】
2005018166.tif 000010
【図９】
2005018166.tif 000011
【図１０】
2005018166.tif 000012